(57)【特許請求の範囲】
【請求項１】
便座を保持する本体部のケーシングの底部に形成された取付部を、便鉢部を有する便器に固定された固定プレートの被取付部に着脱可能に取り付ける本体着脱機能部と、
前記便鉢部内の空気を前記ケーシング内に吸入して、前記空気の臭気を除去する脱臭部材を用いて前記空気の脱臭を行う脱臭機能部と、
洗浄水を噴出して人体の局部を洗浄する洗浄機能部と、を備えている温水洗浄便座装置であって、
前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、
前記脱臭機能部は、前記ケーシング内において、前記本体部における前記便座が保持された面である便座保持面に対して一方の側面である第一側面の側に配設され、
前記制限部は、前記固定プレートの前記被取付部の前記第一側面の側に配設され、
前記洗浄機能部は、前記ケーシング内において、前記便座保持面に対して他方の側面である第二側面の側に配設され、
前記解除部は、棒状に形成され、長手方向を水平方向に沿うように、かつ、前記水平方向に前記第一側面の側から操作可能に設けられ、
前記解除部は、前記洗浄機能部の下方に配設されることなく前記脱臭部材の下方に配設される温水洗浄便座装置。
【請求項２】
便座を保持する本体部のケーシングの底部に形成された取付部を、便鉢部を有する便器に固定された固定プレートの被取付部に着脱可能に取り付ける本体着脱機能部と、
前記便鉢部内の空気を前記ケーシング内に吸入して、前記空気の臭気を除去する脱臭部材を用いて前記空気の脱臭を行う脱臭機能部と、
洗浄水を噴出して人体の局部を洗浄する洗浄機能部と、を備えている温水洗浄便座装置であって、
前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、
前記脱臭機能部は、前記ケーシング内において、前記本体部における前記便座が保持された面である便座保持面に対して一方の側面である第一側面の側に配設され、
前記制限部は、前記固定プレートの前記被取付部の前記第一側面の側に配設され、
前記洗浄機能部は、前記ケーシング内において、前記便座保持面に対して他方の側面である第二側面の側に配設され、
前記解除部は、棒状に形成され、長手方向を水平方向に沿うように、かつ、前記水平方向に前記第一側面の側から操作可能に設けられ、かつ、前記脱臭部材の下方に配設され、
前記解除部は、前記長手方向の一方側である前記第一側面側の端部は、前記ケーシングの外部に面し、前記長手方向の他方側の端部は、前記操作にて前記制限部と接触する温水洗浄便座装置。
【請求項３】
便座を保持する本体部のケーシングの底部に形成された取付部を、便鉢部を有する便器に固定された固定プレートの被取付部に着脱可能に取り付ける本体着脱機能部と、
前記便鉢部内の空気を前記ケーシング内に吸入して、前記空気の臭気を除去する脱臭部材を用いて前記空気の脱臭を行う脱臭機能部と、
洗浄水を噴出して人体の局部を洗浄する洗浄機能部と、を備えている温水洗浄便座装置であって、
前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、
前記脱臭機能部は、前記ケーシング内において、前記本体部における前記便座が保持された面である便座保持面に対して一方の側面である第一側面の側に配設され、
前記解除部は、前記第一側面の側から操作可能に、かつ、前記脱臭部材の下方に配設され、
前記制限部は、前記固定プレートの前記被取付部の前記第一側面の側に配設され、
前記洗浄機能部は、前記ケーシング内において、前記便座保持面に対して他方の側面である第二側面の側に配設され、
前記取付部は前記第一側面と前記第二側面との両側に着脱方向に沿って延びる溝部を備え、
前記被取付部は前記第一側面と前記第二側面との両側に前記取付部の前記溝部に嵌るフランジ部を備え、
前記制限部は前記第一側面の側の前記フランジ部に形成される温水洗浄便座装置。
【請求項４】
便座を保持する本体部のケーシングの底部に形成された取付部を、便鉢部を有する便器に固定された固定プレートの被取付部に着脱可能に取り付ける本体着脱機能部と、
前記便鉢部内の空気を前記ケーシング内に吸入して、前記空気の臭気を除去する脱臭部材を用いて前記空気の脱臭を行う脱臭機能部と、
洗浄水を噴出して人体の局部を洗浄する洗浄機能部と、を備えている温水洗浄便座装置であって、
前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、
前記脱臭機能部は、前記ケーシング内において、前記本体部における前記便座が保持された面である便座保持面に対して一方の側面である第一側面の側に配設され、
前記解除部は、前記第一側面の側から操作可能に、かつ、前記脱臭部材の下方に配設され、
前記制限部は、前記固定プレートの前記被取付部の前記第一側面の側に配設され、
前記洗浄機能部は、前記ケーシング内において、前記便座保持面に対して他方の側面である第二側面の側に配設され、
前記制限部は、外力の作用により形状を変形可能であり前記外力が取り除かれると前記形状を復元する弾性変形部を介して前記固定プレートに一体に形成される温水洗浄便座装置。
【請求項５】
前記取付部は前記第一側面と前記第二側面との両側に着脱方向に沿って延びる溝部を備え、
前記被取付部は前記第一側面と前記第二側面との両側に前記取付部の前記溝部に嵌るフランジ部を備え、
前記制限部は前記第一側面の側の前記フランジ部に形成される請求項１，２，４のいずれか１項記載の温水洗浄便座装置。
【請求項６】
前記制限部は、外力の作用により形状を変形可能であり前記外力が取り除かれると前記形状を復元する弾性変形部を介して前記固定プレートに一体に形成される請求項１乃至３のいずれか１項記載の温水洗浄便座装置。
【請求項７】
前記解除部は、棒状に形成され、長手方向を水平方向に沿うように、かつ、前記水平方向に操作可能に設けられている請求項３または４に記載の温水洗浄便座装置。
【請求項８】
前記解除部は、前記ケーシングの前記底部の一部をスリットによって隔離されるとともに、前記ケーシングの前記底部と連結する連結部を有することにより、前記ケーシングに一体に形成されている請求項１乃至７のいずれか１項に記載の温水洗浄便座装置。
【発明の詳細な説明】
【技術分野】
【０００１】
本発明は、温水洗浄便座装置に関する。
【背景技術】
【０００２】
温水洗浄便座装置の一形式として、特許文献１に示されているものが知られている。特許文献１の図４に示されているように、温水洗浄便座装置１の本体ハウジング１２内に収納された脱臭装置９は、便器の便鉢内の空気を吸入する吸入ファン１４、空気の臭気を除去する脱臭を行う脱臭カートリッジ１５、空気を吸入する吸入口１６および空気を排出する排出口１７が設けられ、吸入ファン１４および脱臭カートリッジ１５を収納する脱臭ハウジング１３を備えている。また、脱臭装置９は、脱臭カートリッジ１５のメンテナンス等を行うため、脱臭カートリッジ１５を着脱可能にする着脱口２１が設けられている。着脱口２１は、意匠性の観点等により、本体ハウジング１２の下方に向けて開口するように設けられている。
【０００３】
また、温水洗浄便座装置の一形式として、特許文献２に示されているものが知られている。特許文献２の図５および図６に示されているように、温水洗浄便座装置１の本体着脱機能部は、便器２に取り付けられる固定プレート３０、固定プレート３０に着脱可能に取り付けられる本体部２０および本体部２０の底部を構成する本体プレート２６に取り付けられる操作レバー４０を備えている。固定プレート３０には、固定プレート３０に本体プレート２６が取り付けられている状態において、固定プレート３０と本体プレート２６とのロックを成す第一ロック部３５Ｌが設けられている。第一ロック部３５Ｌによる固定プレート３０と本体プレート２６とのロックは、操作レバー４０が操作されることにより解除される。
【先行技術文献】
【特許文献】
【０００４】
【特許文献１】特開２００２−２４２２５８号公報
【特許文献２】特開２０１３−２０２１７５号公報
【発明の概要】
【発明が解決しようとする課題】
【０００５】
特許文献１の脱臭機能部を有する温水洗浄便座装置において、特許文献２の本体着脱機能部を構成する場合、脱臭カートリッジ１５を本体ハウジング１２の下方から着脱させるため、操作レバー４０を脱臭カートリッジ１５の下方に配設することができない。よって、図１８に示すように、本体ハウジング１２内において脱臭装置９を、例えば本体ハウジング１２の左側に配設したときには、操作レバー４０を本体ハウジング１２の右側に、かつ、本体ハウジング１２の側面から操作可能とするように配設する。この場合、洗浄水を噴出して人体の局部を洗浄する洗浄機能部における本体ハウジング１２内の配置については、本体ハウジング１２内の空間の大きさの制限から、例えば、洗浄水を貯留する水タンクＡを右側に、洗浄水を水道管から給水する給水バルブＢを左側に、洗浄水を人体の局部に噴出するノズル装置Ｃを中央に分けて配設する必要が生じる。このように、温水洗浄便座装置に従来技術における脱臭機能部および本体着脱機能部を構成する場合、本体ハウジング１２内のレイアウトが制限される。また、温水洗浄便座装置の小型化等の要望により、本体ハウジング１２内のレイアウトの自由度の向上に対する要請がある。一方、脱臭性能が比較的長期間（例えば８年）に亘って確保されている場合、脱臭カートリッジ１５のメンテナンス等が不要となる。
【０００６】
そこで、本発明は、上述した問題を解消するためになされたもので、脱臭機能部および本体着脱機能部を有する温水洗浄便座装置において、ケーシング内のレイアウトの自由度の向上を図ることを目的とする。
【課題を解決するための手段】
【０００７】
上記の課題を解決するため、請求項１に係る温水洗浄便座装置は、便座を保持する本体部のケーシングの底部に形成された取付部を、便鉢部を有する便器に固定された固定プレートの被取付部に着脱可能に取り付ける本体着脱機能部と、前記便鉢部内の空気を前記ケーシング内に吸入して、前記空気の臭気を除去する脱臭部材を用いて前記空気の脱臭を行う脱臭機能部と、洗浄水を噴出して人体の局部を洗浄する洗浄機能部と、を備えている温水洗浄便座装置であって、前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、前記脱臭機能部は、前記ケーシング内において、前記本体部における前記便座が保持された面である便座保持面に対して一方の側面である第一側面の側に配設され、前記制限部は、前記固定プレートの前記被取付部の前記第一側面の側に配設され、前記洗浄機能部は、前記ケーシング内において、前記便座保持面に対して他方の側面である第二側面の側に配設され、前記解除部は、棒状に形成され、長手方向を水平方向に沿うように、かつ、前記水平方向に前記第一側面の側から操作可能に設けられ、前記解除部は、前記洗浄機能部の下方に配設されることなく前記脱臭部材の下方に配設される。
上記の課題を解決するため、請求項２に係る温水洗浄便座装置は、便座を保持する本体部のケーシングの底部に形成された取付部を、便鉢部を有する便器に固定された固定プレートの被取付部に着脱可能に取り付ける本体着脱機能部と、前記便鉢部内の空気を前記ケーシング内に吸入して、前記空気の臭気を除去する脱臭部材を用いて前記空気の脱臭を行う脱臭機能部と、洗浄水を噴出して人体の局部を洗浄する洗浄機能部と、を備えている温水洗浄便座装置であって、前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、前記脱臭機能部は、前記ケーシング内において、前記本体部における前記便座が保持された面である便座保持面に対して一方の側面である第一側面の側に配設され、前記制限部は、前記固定プレートの前記被取付部の前記第一側面の側に配設され、前記洗浄機能部は、前記ケーシング内において、前記便座保持面に対して他方の側面である第二側面の側に配設され、前記解除部は、棒状に形成され、長手方向を水平方向に沿うように、かつ、前記水平方向に前記第一側面の側から操作可能に設けられ、かつ、前記脱臭部材の下方に配設され、前記解除部は、前記長手方向の一方側である前記第一側面側の端部は、前記ケーシングの外部に面し、前記長手方向の他方側の端部は、前記操作にて前記制限部と接触する。
上記の課題を解決するため、請求項３に係る温水洗浄便座装置は、便座を保持する本体部のケーシングの底部に形成された取付部を、便鉢部を有する便器に固定された固定プレートの被取付部に着脱可能に取り付ける本体着脱機能部と、前記便鉢部内の空気を前記ケーシング内に吸入して、前記空気の臭気を除去する脱臭部材を用いて前記空気の脱臭を行う脱臭機能部と、洗浄水を噴出して人体の局部を洗浄する洗浄機能部と、を備えている温水洗浄便座装置であって、前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、前記脱臭機能部は、前記ケーシング内において、前記本体部における前記便座が保持された面である便座保持面に対して一方の側面である第一側面の側に配設され、前記解除部は、前記第一側面の側から操作可能に、かつ、前記脱臭部材の下方に配設され、前記制限部は、前記固定プレートの前記被取付部の前記第一側面の側に配設され、前記洗浄機能部は、前記ケーシング内において、前記便座保持面に対して他方の側面である第二側面の側に配設され、前記取付部は前記第一側面と前記第二側面との両側に着脱方向に沿って延びる溝部を備え、前記被取付部は前記第一側面と前記第二側面との両側に前記取付部の前記溝部に嵌るフランジ部を備え、前記制限部は前記第一側面の側の前記フランジ部に形成される。
上記の課題を解決するため、請求項４に係る温水洗浄便座装置は、便座を保持する本体部のケーシングの底部に形成された取付部を、便鉢部を有する便器に固定された固定プレートの被取付部に着脱可能に取り付ける本体着脱機能部と、前記便鉢部内の空気を前記ケーシング内に吸入して、前記空気の臭気を除去する脱臭部材を用いて前記空気の脱臭を行う脱臭機能部と、洗浄水を噴出して人体の局部を洗浄する洗浄機能部と、を備えている温水洗浄便座装置であって、前記本体着脱機能部は、前記本体部の前記取付部が前記固定プレートの前記被取付部に取り付けられた状態において、前記取付部の前記被取付部からの外れの制限を行う制限部、および、操作されることにより前記制限部による前記制限の解除を行う解除部を備え、前記脱臭機能部は、前記ケーシング内において、前記本体部における前記便座が保持された面である便座保持面に対して一方の側面である第一側面の側に配設され、前記解除部は、前記第一側面の側から操作可能に、かつ、前記脱臭部材の下方に配設され、前記制限部は、前記固定プレートの前記被取付部の前記第一側面の側に配設され、前記洗浄機能部は、前記ケーシング内において、前記便座保持面に対して他方の側面である第二側面の側に配設され、前記制限部は、外力の作用により形状を変形可能であり前記外力が取り除かれると前記形状を復元する弾性変形部を介して前記固定プレートに一体に形成される。
【発明の効果】
【０００８】
これによれば、脱臭機能部の脱臭部材の下方に、第一側面の側から操作可能な本体着脱機能部の解除部を配設することにより、脱臭機能部と解除部とがケーシング内において第一側面の側に配設される。洗浄機能部は、ケーシング内において、従来技術のように左右方向に分けて配設されることなく、第二側面の側に配設される。よって、従来の温水洗浄便座装置と比べて、ケーシング内におけるレイアウトの自由度の向上を図ることができる。
【図面の簡単な説明】
【０００９】
【図１】本発明に係る温水洗浄便座装置を便器に適用した場合を示した側面図である。実線にて示された温水洗浄便座装置は、便器に取り付けられた状態を表し、二点破線にて示す温水洗浄便座装置は、便器に取り付けられる前の状態を表している。
【図２】図１に示す温水洗浄便座装置の背面図における一部拡大図である。
【図３】図１に示す温水洗浄便座装置の底面図である。
【図４】図３に示す固定プレートの底面図である。
【図５】図４に示す固定プレートの一部拡大図である。
【図６】図３に示すケーシングの底面図である。
【図７】図６に示すケーシングの一部拡大図である。
【図８】図７に示すVIII−VIII線に沿ったケーシングの断面図である。
【図９】図３に示す温水洗浄便座装置の右側面図の一部拡大図である。
【図１０】図３に示す温水洗浄便座装置の一部拡大図であり、本体部が取付位置に位置し、突起部が凹部にはまっている状態を示している。
【図１１】図３に示す温水洗浄便座装置の一部拡大図であり、本体部が取付位置に位置し、突起部が凹部から離脱した状態を示している。
【図１２】図１に示す温水洗浄便座装置における第一ケーシングを取り外した状態の平面図であり、ケーシング内のレイアウトを表している。
【図１３】図１２に示す温水洗浄便座装置の一部拡大図であり、脱臭機能部を表している。
【図１４】図１３に示すXIV−XIV線に沿った温水洗浄便座装置の断面図である。
【図１５】図１４に示すXV−XV線に沿った温水洗浄便座装置の断面図である。
【図１６】図１２に示す洗浄機能部の構成を示す図である。
【図１７】本発明に係る温水洗浄便座装置の本体着脱機能部の一変形例を示す図である。
【図１８】従来技術に係る温水洗浄便座装置のケーシング内のレイアウトを示す図である。
【発明を実施するための形態】
【００１０】
本発明に係る温水洗浄便座装置１の一実施形態について、図面を参照しながら説明する。なお、本明細書においては説明の便宜上、図１における上側および下側をそれぞれ温水洗浄便座装置１の上方および下方とし、同じく左側および右側をそれぞれ温水洗浄便座装置１の前方および後方とし、同じく紙面手前側および紙面奥側を、それぞれ温水洗浄便座装置１の右方および左方として説明する。また、図１乃至図１７には、各方向を示す矢印を示している。温水洗浄便座装置１は、図１および図２に示すように、腰掛式便器２（本発明における便器に相当）の便座設置面２ａに取り付けられている（実線にて示す）。また、腰掛式便器２は、便鉢部２ｂを有している。
【００１１】
温水洗浄便座装置１は、図１および図２に示すように、腰掛式便器２に固定される固定プレート１０、本体部２０、本体部２０に回動可能に支持され、使用者が着座する便座３０および便座３０を覆う便蓋４０を備えている。
【００１２】
固定プレート１０は、図３および図４に示すように、平面矩形状に形成され、腰掛式便器２の取付穴（図示なし）に連通するように形成された貫通穴１１を有している。固定プレート１０は、貫通穴１１に挿入される取付部材（例えば、樹脂製のボルトおよびナット；図示なし）によって、腰掛式便器２に固定される。
【００１３】
また、本体部２０は、図１および図１４に示すように、中空の箱状に形成されたケーシング２１を備えている。固定プレート１０およびケーシング２１は、例えばポリプロピレン等の樹脂材料が用いられ、射出成型によって形成されている。ケーシング２１は、本体部２０の前方の面である便座保持面２０ａの側にて便座３０を保持している（図１および図１４参照）。
ケーシング２１は、第一ケーシング２１ａおよび第二ケーシング２１ｂを備えている（図１、図３および図１４参照）。第一ケーシング２１ａは、本体部２０の上方を覆うとともに、底部を開放する箱状に形成されている。第二ケーシング２１ｂは、ケーシング２１の底部を形成する。第二ケーシング２１ｂは、第一ケーシング２１ａの底部を塞ぐ底壁２１ｂ１および底壁２１ｂ１の周縁に全周に亘って、上方に突出するように形成された周側壁２１ｂ２を備えている（図１２乃至図１４参照）。第一ケーシング２１ａの下端部の内面と第二ケーシング２１ｂの周側壁２１ｂ２の外面とが全周に亘って接触するように、第一ケーシング２１ａが第二ケーシング２１ｂに例えばスナップフィットやネジ締めによって取り付けられる。
【００１４】
また、温水洗浄便座装置１は、本体着脱機能部５０、並びに、ケーシング２１内に収納された脱臭機能部６０、洗浄機能部７０および温水洗浄便座装置１を統括制御する制御部（図示なし）をさらに備えている。
本体着脱機能部５０は、本体部２０を固定プレート１０に着脱可能に取り付けるものである。本実施形態においては、図１に示すように、便座設置面２ａ上における実線にて示された取付位置Ｐ１（後述する）よりＤ２方向（図１における左側）の二点破線にて示された被取付位置Ｐ２に位置する本体部２０が、Ｄ１方向（図１における右側）にスライドされて取付位置Ｐ１に位置することによって、固定プレート１０に取り付けられる。このとき、本体着脱機能部５０の制限部（後述する）によって、本体部２０が固定プレート１０から外れることが制限される。そして、本体部２０は、本体着脱機能部５０の解除部（後述する）によって、制限部による制限が解除されて、Ｄ２方向にスライドされることにより、固定プレート１０から取り外される。本実施形態においては、Ｄ１方向が後方に、Ｄ２方向が前方に該当する。
【００１５】
本体着脱機能部５０は、固定プレート１０に形成された被取付部５１、並びに、第二ケーシング２１ｂに形成された取付部５２、凹部５３および使用者によって操作される操作レバー５４を備えている。
被取付部５１は、図２および図４に示すように、固定プレート１０の外形状である上面部５１ａ、前面部５１ｂ、左側面部５１ｃおよび右側面部５１ｄによって構成されている。上面部５１ａは、略平面状に形成されている。前面部５１ｂには、中央に位置決め用窪み部５１ｂ１が形成されている。左側面部５１ｃには、左方向に向かって突出し、前後方向に延びる左フランジ部５１ｃ１が形成されている。また、右側面部５１ｄには、右方向に向かって突出し、前後方向に延びる右フランジ部５１ｄ１が形成されている。
【００１６】
右側面部５１ｄには、図４に示すように、突起部５１ｅおよび弾性変形部５１ｆが形成されている。突起部５１ｅおよび弾性変形部５１ｆは、右フランジ部５１ｄ１の前端部にて鉤状に形成されている。
【００１７】
突起部５１ｅは、図５に示すように、右フランジ部５１ｄ１の右端面から右方向に向かって突出するように形成されている。突起部５１ｅは、被係り面５１ｅ１およびテーパ面５１ｅ２を有している。被係り面５１ｅ１は、後述するように、取付部５２が被取付部５１から外れることを制限するものであり、Ｄ２方向に対して垂直に配設された平面である。テーパ面５１ｅ２は、Ｄ１方向との狭角を、例えば３０度に設定された平面である。
【００１８】
弾性変形部５１ｆは、右フランジ部５１ｄ１からスリット５１ｄ２で隔離されるように形成されている。弾性変形部５１ｆは、突起部５１ｅに左方向への外力Ｓ１が作用したときに、実線にて示す形状から点線にて示す形状に変形し、外力Ｓ１が取り除かれたときに、実線にて示す形状に戻る弾性を有している。
【００１９】
また、突起部５１ｅは、弾性変形部５１ｆを介して固定プレート１０に一体に形成され、外力が作用していないときに位置Ｘ１に位置する。外力Ｓ１が左方向に向かって突起部５１ｅに作用した場合、突起部５１ｅは、弾性変形部５１ｆの変形によって位置Ｘ１から位置Ｘ２に変位する。一方、外力Ｓ１により突起部５１ｅが位置Ｘ２に位置している状態から、外力Ｓ１が取り除かれた場合、弾性変形部５１ｆの形状が復元するため、突起部５１ｅが位置Ｘ１に戻る。
【００２０】
取付部５２は、図２および図６に示すように、第二ケーシング２１ｂの底部に固定プレート１０の外形状に沿うように上方に向かって窪む凹状に形成されている。取付部５２は、固定プレート１０における上面部５１ａに対向する底面５２ａ、被取付部５１の前面部５１ｂに対向する前面部５２ｂ、左側面部５１ｃに対向する左側面部５２ｃ、右側面部５１ｄに対向する右側面部５２ｄによって形成されている。
【００２１】
底面５２ａは、略平面状に形成されている。前面部５２ｂは、位置決め用窪み部５１ｂ１に対向する凸部５２ｂ１が形成されている。
各側面部５２ｃ，５２ｄは、前後方向に延びる溝状に形成され、それぞれフランジ部５１ｃ１，５１ｄ１がはまることにより、本体部２０をＤ１方向およびＤ２方向にガイドする溝部５２ｃ１，５２ｄ１を有している。
【００２２】
凹部５３は、図６乃至図８に示すように、右側面部５２ｄの前端部から右方向に窪むように、かつ、上下方向に貫通するように形成されている。凹部５３は、本体部２０が固定プレート１０に取り付けられて取付位置Ｐ１(図１参照)に位置したときに、位置Ｘ１に位置する突起部５１ｅがはまるように形成されている（図１０参照)。取付位置Ｐ１は、本体部２０が固定プレート１０に取り付けられた場合に、取付部５２の前面部５２ｂが被取付部５１の前面部５１ｂに接触する位置である。また、凹部５３は、後方側にＤ２方向に対して垂直に配設された係り面５３ａを有している。係り面５３ａは、突起部５１ｅが凹部５３に係っている場合、被係り面５１ｅ１と対向するように形成されている（図１０参照）。
【００２３】
操作レバー５４は、図７乃至図９および図１４に示すように、第二ケーシング２１ｂの底部の一部をスリットによって隔離されることにより、第二ケーシング２１ｂに一体に形成されている。具体的には、操作レバー５４は、凹部５３より右方向に配設され、第二ケーシング２１ｂの底壁２１ｂ１をスリット２１ｂ３，２１ｂ４，２１ｂ５，２１ｂ６によって隔離されて形成されている。スリット２１ｂ３，２１ｂ４は、左端で凹部５３に接続し、左右方向に延びる直線状に形成されている（図７参照）。スリット２１ｂ５は、周側壁２１ｂ２の右側部にて、一端をスリット２１ｂ３に接続されるとともに他端をスリット２１ｂ４に接続された下方に開放するＵ字状に形成されている（図８および図９参照）。スリット２１ｂ６は、スリット２１ｂ４から前方に向かって前後方向に延びる直線状に、二つ形成されている（図７参照）。
【００２４】
また、操作レバー５４は、図７、図８および図１４に示すように、左右方向を長手方向として上方を開口する棒状に形成されたレバー部５４ａおよび連結部５４ｂを有している。
レバー部５４ａは、外力が作用していない状態において、図７に実線にて示す位置Ｘ３に位置する。レバー部５４ａは、位置Ｘ３に位置する場合、凹部５３にはまっている突起部５１ｅに接触しない大きさに形成されている（図１０参照）。レバー部５４ａの右端面は、本体部２０の便座保持面２０ａに対して右方の側面である右側面２０ｂ（本発明の第一側面に相当）にてケーシング２１の外部に面している。使用者によってレバー部５４ａの右端面を左方向に向かって押されるように操作されることにより、レバー部５４ａが位置Ｘ３から左方向に変位する。レバー部５４ａは、レバー部５４ａの左端面と、レバー部５４ａの左端面に対向するように底壁２１ｂ１に形成された面２１ｂ７とが接触する位置Ｘ４に位置することにより、左方向への変位量が制限される。レバー部５４ａが位置Ｘ４に位置したときは、レバー部５４ａの左端面が係り面５３ａの左端より左側に位置する。このように、操作レバー５４のレバー部５４ａは、棒状に形成され、長手方向を左右方向に沿うように、左右方向に変位可能に設けられている。すなわち、操作レバー５４は、左右方向に操作可能に設けられている。また、操作レバー５４は、脱臭部材６４の下方に配設されている（後述する）。
【００２５】
連結部５４ｂは、図７に示すように、レバー部５４ａと第二ケーシング２１ｂの底部とを連結するものである。連結部５４ｂは、薄板状に形成され、一方が第二ケーシング２１ｂの底壁２１ｂ１に接続され、他方がレバー部５４ａの後端面に接続されている。連結部５４ｂは、二つ形成されている。また、連結部５４ｂは、レバー部５４ａに左方向の外力Ｓ１が作用した場合、レバー部５４ａを位置Ｘ３から位置Ｘ４に変位させるように変形し、外力Ｓ１が取り除かれた場合、レバー部５４ａを位置Ｘ３に戻すように元の形状に復元する弾性を有している。
【００２６】
次に、使用者が、本体部２０の取付部５２を固定プレート１０の被取付部５１に取り付ける場合における本体着脱機能部５０の動作について説明する。はじめに、図１に示すように、本体部２０が被取付位置Ｐ２に配置され、本体部２０がＤ１方向にスライドされる。そして、フランジ部５１ｃ１，５１ｄ１が溝部５２ｃ１，５２ｄ１にそれぞれはまり（図２参照）、本体部２０がフランジ部５１ｃ１，５１ｄ１にガイドされて、Ｄ１方向にさらにスライドされる。取付部５２の前面部５２ｂが被取付部５１の前面部５１ｂに接触したとき、本体部２０が取付位置Ｐ１に位置する。
【００２７】
本体部２０が取付位置Ｐ１に位置したとき、図１０に示すように、突起部５１ｅには、外力が作用しないため、突起部５１ｅが位置Ｘ１に位置することにより凹部５３にはまる。これにより、被係り面５１ｅ１と係り面５３ａとが対向するため、本体部２０は、固定プレート１０に対してＤ２方向にスライドされることが制限される。このように、突起部５１ｅおよび凹部５３は、本体部２０の取付部５２が固定プレート１０の被取付部５１に取り付けられた状態において、取付部５２の被取付部５１からの外れの制限を行う。すなわち、突起部５１ｅおよび凹部５３は、本発明の制限部に相当する。
【００２８】
次に、使用者が固定プレート１０から本体部２０を取り外す場合における本体着脱機能部５０の動作について説明する。図１１に示すように、レバー部５４ａの右端面がケーシング２１の右側面２０ｂ側から外力Ｓ１にて左方向に向かって、例えば使用者によって押されることによって、レバー部５４ａが左方向に変位する。これにより、レバー部５４ａの左端面が突起部５１ｅに接触し、突起部５１ｅが位置Ｘ１から位置Ｘ２に変位したとき、突起部５１ｅが凹部５３から離脱し、被係り面５１ｅ１と係り面５３ａとの係りが無くなる。この状態にて本体部２０がＤ２方向にスライドされることにより、本体部２０が固定プレート１０から取り外される。このように、操作レバー５４は、操作されることにより制限部による制限の解除を行う。すなわち、操作レバー５４は、本発明の解除部に相当する。
【００２９】
次に、脱臭機能部６０について説明する。
脱臭機能部６０は、図１２に示すように、ケーシング２１内の右側に配設されている。脱臭機能部６０は、便鉢部２ｂ内の空気をケーシング２１内に吸入して、空気の臭気を除去する脱臭を行うものである。脱臭機能部６０は、図１３および図１４に示すように、第二ケーシング２１ｂの底壁２１ｂ１に形成された開口部２１ｂ８を介して、便鉢部２ｂ内の空気をケーシング２１内に吸入する。なお、便鉢部２ｂ内の空気の流れは、矢印Ｆにて示されている。開口部２１ｂ８は、ケーシング２１内と便鉢部２ｂ内とを連通するように、便鉢部２ｂ内に向けて開口する貫通穴である。開口部２１ｂ８は、スリット状に複数形成されている。また、第二ケーシング２１ｂには、底壁２１ｂ１から上方に向かって突出する側壁２１ｂ９，２１ｂａが形成されている。側壁２１ｂ９，２１ｂａは、開口部２１ｂ８と脱臭機能部６０との間に、便鉢部２ｂ内の空気を流通させる通気路を形成するように、ケーシング２１内を区画するものである。
【００３０】
脱臭機能部６０は、図１３乃至図１５に示すように、脱臭ダクト６１、フィルタ６２、吸入ファン６３および脱臭部材６４を備えている。
脱臭ダクト６１は、両端をそれぞれ開口する断面矩形状の管状に形成され、便鉢部２ｂ内の空気を流通させるものである。脱臭ダクト６１は、下方を開放する断面Ｕ字形状の第一脱臭ダクト６１ａと、上方を開放する断面Ｕ字形状の第二脱臭ダクト６１ｂとを組み合わせることにより形成されている（図１５参照）。第一脱臭ダクト６１ａの下端部と第二脱臭ダクト６１ｂの上端部とが気密に接触するように形成されている。また、第一脱臭ダクト６１ａと第二脱臭ダクト６１ｂとは、例えばスナップフィットによって組み付けられている。
【００３１】
第一脱臭ダクト６１ａは、例えばポリプロピレン等の樹脂材料が用いられ、射出成型によって形成されている。また、第二脱臭ダクト６１ｂは、図１４および図１５に示すように、第二ケーシング２１ｂに一体に形成されている。具体的には、第二脱臭ダクト６１ｂの底部６１ｂ１は、第二ケーシング２１ｂの底壁２１ｂ１に一体に形成されている。また、第二脱臭ダクト６１ｂの両側壁６１ｂ２は、底壁２１ｂ１から上方に向けて突出して、前後方向に延びるように形成されている。
【００３２】
脱臭ダクト６１の一端（前方の端部）には、ケーシング２１内に向けて開口する吸気部６１ｃが形成されている。吸気部６１ｃは、便鉢部２ｂ内の空気を吸入するものである。吸気部６１ｃは、第一脱臭ダクト６１ａおよび第二脱臭ダクト６１ｂによって断面矩形状に形成されている。
【００３３】
脱臭ダクト６１の他端（後方の端部）には、ケーシング２１の外部に向けて開口する排気部６１ｄが形成されている（図１３および図１４参照）。排気部６１ｄは、臭気が除去された便鉢部２ｂ内の空気をケーシング２１の外部に排出するものである。排気部６１ｄは、第二脱臭ダクト６１ｂ（第二ケーシング２１ｂ）にスリット状に形成された複数の貫通穴である。また、脱臭ダクト６１には、フィルタ６２、吸入ファン６３および脱臭部材６４が配設されている。
【００３４】
フィルタ６２は、吸気部６１ｃに吸入される空気中の埃等の異物を除去するものである。フィルタ６２は、図１４に示すように、網状のメッシュ部６２ａおよびメッシュ部６２ａを保持する枠部６２ｂを備えている。枠部６２ｂは、断面矩形状の枠状に形成され、枠内にメッシュ部６２ａを保持する。フィルタ６２は、吸気部６１ｃに吸入される空気がメッシュ部６２ａを通過するように配設されている。具体的には、枠部６２ｂの外側面と吸気部６１ｃの前端部内側面とが気密に接触するように、フィルタ６２が吸気部６１ｃに取り付けられている。
【００３５】
また、フィルタ６２は、脱臭ダクト６１に対して着脱可能に取り付けられている。具体的には、枠部６２ｂの下端部が、第二脱臭ダクト６１ｂの底部６１ｂ１に上方に向かって窪むように設けられた凹部６１ｂ３に形成された上下方向に貫通する取付穴６１ｂ４に、例えば圧入されることにより固定されている。さらに、フィルタ６２は、枠部６２ｂの下端部が、凹部６１ｂ３内に位置するように取付穴６１ｂ４に固定されている。これにより、使用者は、枠部６２ｂの下端部を例えば指先や工具等によって挟持して、フィルタ６２を下方に引っ張ることによって、フィルタ６２を取付穴６１ｂ４から取り外すことができる。なお、フィルタ６２の取り外しは、本体部２０を固定プレート１０から上述したように取り外した状態にて行うことができる。一方、フィルタ６２が取付穴６１ｂ４に上方に向けて挿入されることにより、フィルタ６２が取付穴６１ｂ４に取り付けられる。
【００３６】
吸入ファン６３は、吸気部６１ｃから脱臭機能部６０（脱臭ダクト６１）内に便鉢部２ｂ内の空気を吸入するものである。本実施形態において、吸入ファン６３は、軸流ファンであり、外形を直方体状に形成されている。吸入ファン６３は、前方から便鉢部２ｂ内の空気を吸入し、後方へ便鉢部２ｂ内の空気を送出する。吸入ファン６３は、脱臭ダクト６１の内面に吸入ファン６３の外形が例えば圧入されることにより気密に取り付けられている。また、吸入ファン６３は、制御部と電気的に接続され、制御部から送信される制御信号によって駆動する。
【００３７】
脱臭部材６４は、吸気部６１ｃから吸入された便鉢部２ｂ内の空気における臭気を除去するものである。脱臭部材６４は、操作レバー５４の上方に配設されている。脱臭部材６４は、臭気を吸着する脱臭触媒によって形成されている。脱臭触媒は、二酸化マンガンや活性炭等である。脱臭部材６４は、例えば押出成形を用いて形成されている。脱臭部材６４は、直方体状に形成され、前端面６４ａおよび後端面６４ｂに開口して、便鉢部２ｂ内の空気を前後方向に流通させるハニカム形状の複数の通気路（図示なし）を有している。便鉢部２ｂの空気がこの通気路を通過するときに、脱臭部材６４に便鉢部２ｂの空気に含まれる臭気が吸着することにより、便鉢部２ｂの空気が脱臭される。脱臭部材６４は、比較的長期間（例えば８年）に亘って便鉢部２ｂの空気を脱臭する脱臭性能を確保するように、臭気を吸着させる通気路の表面積が確保されている。
【００３８】
また、脱臭部材６４は、図１４および図１５に示すように、前端面６４ａの周縁と後端面６４ｂの周縁とを全周に亘って接続する周側面６４ｃを有している。本実施形態において、脱臭部材６４は、脱臭ダクト６１の内面に対して気密性を有するように取り付けられている。具体的には、脱臭機能部６０がさらに備えるシート６５が、脱臭部材６４の周側面６４ｃと脱臭ダクト６１の内面との間に挟持されている。シート６５は、発泡ウレタンやポリエチレン等のシートであり、両面テープまたは粘着剤によって脱臭部材６４の周側面６４ｃに接着されている。なお、脱臭部材６４の周側面６４ｃと脱臭ダクト６１の内面とが気密性を有する部位は、脱臭部材６４の周側面６４ｃの全面に設けずに、周側面６４ｃの前端部６４ｄおよび後端部６４ｅに周側面６４ｃの周方向に沿って環状に設けられている（図１４および図１５参照）。また、操作レバー５４は、脱臭部材６４の下方にて前端部６４ｄと後端部６４ｅとの間に形成されている。よって、各スリット２１ｂ３〜２１ｂ６が前端部６４ｄと後端部６４ｅとの間に位置するため、各スリット２１ｂ３〜２１ｂ６からケーシング２１外への空気の漏れが抑制されている。
【００３９】
次に、上述した温水洗浄便座装置１の脱臭機能部６０による便鉢部２ｂ内の空気の臭気を除去する脱臭の動作について説明する。
制御部は、例えば、使用者が便座３０に着座したことを検知する着座センサ（例えば赤外線センサ；図示なし）の検知信号によって、脱臭機能部６０による脱臭を開始する。具体的には、制御部は、吸入ファン６３の駆動を開始する。
【００４０】
吸入ファン６３が駆動することにより、図１３および図１４に矢印Ｆにて示すように、便鉢部２ｂ内の空気が、開口部２１ｂ８を介してケーシング２１内ひいては吸気部６１ｃに吸入される。吸気部６１ｃに吸入された便鉢部２ｂ内の空気は、フィルタ６２を通過することにより便鉢部２ｂ内の空気に含まれる埃等の異物が除去されて、脱臭ダクト６１内を流通して、脱臭部材６４に吸入される。脱臭部材６４に吸入された便鉢部２ｂ内の空気は、便鉢部２ｂ内の空気における臭気が脱臭部材６４に吸着されることにより除去されて、脱臭部材６４を通過する。臭気が除去された便鉢部２ｂ内の空気は、脱臭ダクト６１内を流通して、吸入ファン６３に吸入される。そして、便鉢部２ｂ内の空気は、吸入ファン６３によって送出されることにより、脱臭ダクト６１内を流通して、排気部６１ｄからケーシング２１の外部へ排出される。
【００４１】
制御部は、例えば、着座センサによって使用者が便座３０から立ち上がったことを検出した場合、脱臭機能部６０による脱臭を停止する。具体的には、制御部は、吸入ファン６３の駆動を停止する。これにより、便鉢部２ｂ内の空気のケーシング２１内への吸入が停止する。
【００４２】
次に、洗浄機能部７０について説明する。
洗浄機能部７０は、図１２に示すように、ケーシング２１内において、本体部２０の便座保持面２０ａに対して左方の側面である左側面２０ｃ（本発明の第二側面に相当）の側に、左右方向における左側から中央かけて配設されている。なお、ケーシング２１内における脱臭機能部６０と洗浄機能部７０との間の空間は、例えば、温水洗浄便座装置１が人体の局部を乾燥させる乾燥機能部を有する際に、乾燥機能部を配設するために確保された空間である。
【００４３】
洗浄機能部７０は、洗浄水を噴出して人体の局部を洗浄するものである。洗浄機能部７０は、図１２および図１６に示すように、給水バルブ７１、水タンク７２、接続ホース７３およびノズル装置７４を備えている。
【００４４】
給水バルブ７１は、図１６に示すように、水道配管３に取り付けられた分岐水栓３ａに、洗浄水を流通させる第一流路Ｌ１を構成する給水ホース（図示なし）を介して接続されている。分岐水栓３ａは、水道配管３に流れる上水を洗浄水として給水ホース（第一流路Ｌ１）に導入するものである。給水バルブ７１は、給水ホースから導入された洗浄水を水タンク７２に給水するものである。給水バルブ７１は、給水ホースと水タンク７２との間の洗浄水の流路である第二流路Ｌ２を構成する。給水バルブ７１は、ストレーナ７１ａ、逆止弁７１ｂ、定流量弁７１ｃ、止水電磁弁７１ｄ、リリーフバルブ７１ｅを備えている。
【００４５】
ストレーナ７１ａは、上水に含まれるゴミ等を除去するものである。逆止弁７１ｂは、分岐水栓３ａから水タンク７２への洗浄水の流れを許容するが、逆方向の流れを規制するものである。定流量弁７１ｃは、第二流路Ｌ２に流れる洗浄水の流量を一定に維持するものである。止水電磁弁７１ｄは、制御部からの制御信号により、第二流路Ｌ２を開状態または閉状態にするものである。本実施形態においては、止水電磁弁７１ｄは、通常時（非制御時）に第二流路Ｌ２を閉状態にする。リリーフバルブ７１ｅは、定流量弁７１ｃによって流量が調整された洗浄水のうち人体の洗浄に使用されない洗浄水を外部へ放出するものである。なお、本実施形態においては、給水バルブ７１は、水タンク７２にホース等を介さずに直接接続されている。
【００４６】
水タンク７２は、供給された洗浄水を貯留するとともに、加熱するものである。水タンク７２は、タンク部７２ａ、ヒータ７２ｂおよび温度センサ７２ｃを備えている。タンク部７２ａは、内部に洗浄水を貯留するものである。タンク部７２ａは、例えばポリプロピレン等の樹脂材料によって中空の箱状に形成されている。ヒータ７２ｂは、タンク部７２ａに貯留された洗浄水を、制御部からの制御信号に基づいて加熱するものである。ヒータ７２ｂは、例えばシーズヒータである。温度センサ７２ｃは、タンク部７２ａに貯留された洗浄水の温度を検出し、検出結果を制御部に送信するものである。
【００４７】
接続ホース７３は、水タンク７２とノズル装置７４とを接続し、洗浄水の流路である第三流路Ｌ３を構成するものである。接続ホース７３は、例えばニトリルゴム等にて形成された管状のホースである。
【００４８】
ノズル装置７４は、洗浄水を人体の局部に向けて噴出するものである。ノズル装置７４は、流路切替弁７４ａ、おしり洗浄を行うための洗浄水を噴出するおしりノズル７４ｂ、ビデ洗浄を行うための洗浄水を噴出するビデノズル７４ｃ、流路切替弁７４ａとおしりノズル７４ｂとを接続し、洗浄水の流路を構成する第四流路Ｌ４、および、流路切替弁７４ａとビデノズル７４ｃとを接続し、洗浄水の流路を構成する第五流路Ｌ５を備えている。流路切替弁７４ａと各ノズル７４ｂ，７４ｃとは、ホース等を介さずに直接接続されている。
【００４９】
流路切替弁７４ａは、接続ホース７３に接続され、水タンク７２からの洗浄水を第四流路Ｌ４および第五流路Ｌ５の一方へ選択的に切り替えて導出するものである。また、流路切替弁７４ａは、制御部からの制御信号に基づいて、流路面積を可変させて、流路抵抗を可変させることにより、各ノズル７４ｂ，７４ｃから噴出する洗浄水の流路を調整するものである。第四流路Ｌ４に導出された洗浄水は、おしりノズル７４ｂから噴出する。また、第五流路Ｌ５に導出された洗浄水は、ビデノズル７４ｃから噴出する。
【００５０】
制御部は、止水電磁弁７１ｄ、温度センサ７２ｃ、ヒータ７２ｂおよび流路切替弁７４ａと、電気的に接続されている。制御部は、温度センサ７２ｃよって検出される信号に基づいて、ヒータ７２ｂを制御して、洗浄水の温度を所定温度（例えば３９℃）に調整する。また、制御部は、操作部（図示なし）から送信される制御信号を受信した場合、洗浄水の流量を所定流量（例えば０．４Ｌ／分）となるように、止水電磁弁７１ｄおよび流路切替弁７４ａを制御して、洗浄水を人体の局部に向けて噴出する。
【００５１】
本実施形態によれば、温水洗浄便座装置１は、便座３０を保持する本体部２０のケーシング２１の底部に形成された取付部５２を、便鉢部２ｂを有する腰掛式便器２に固定された固定プレート１０の被取付部５１に着脱可能に取り付ける本体着脱機能部５０と、便鉢部２ｂ内の空気をケーシング２１内に吸入して、空気の臭気を除去する脱臭部材６４を用いて空気の脱臭を行う脱臭機能部６０と、洗浄水を噴出して人体の局部を洗浄する洗浄機能部７０と、を備えている。本体着脱機能部５０は、本体部２０の取付部５２が固定プレート１０の被取付部５１に取り付けられた状態において、取付部５２の被取付部５１からの外れの制限を行う突起部５１ｅおよび凹部５３、ならびに、操作されることにより制限部による制限の解除を行う操作レバー５４を備え、操作レバー５４は、本体部２０における便座３０を保持された面である便座保持面２０ａに対して一方の側面である右側面２０ｂの側から操作可能に、かつ、脱臭部材６４の下方に配設され、洗浄機能部７０は、ケーシング２１内において、便座保持面２０ａに対して他方の側面である左側面２０ｃの側に配設されている。
これによれば、脱臭機能部６０の脱臭部材６４の下方に、右側面２０ｂの側から操作可能な操作レバー５４を配設することにより、脱臭機能部６０と操作レバー５４とがケーシング２１内において右側面２０ｂの側に配設される。洗浄機能部７０は、ケーシング２１内において、従来技術のように左右方向に分けて配設されることなく、左側面２０ｃの側に配設される。よって、従来の温水洗浄便座装置と比べて、ケーシング２１内におけるレイアウトの自由度の向上を図ることができる。
そして、洗浄機能部７０をケーシング２１内において、従来技術のように左右方向に分けることなく配設することができるため、給水バルブ７１等の洗浄機能部７０を構成する部材の間の空間を、従来技術のものに比べて小さくすることができる。よって、洗浄機能部７０を構成する部材を接続する接続ホース７３等の接続部材を短くすることができる。さらには、洗浄機能部７０を構成する部材を直接接続することにより、接続部材を無くすことができる。これにより、洗浄機能部７０の小型化を図ることができるため、ケーシング２１内のレイアウトの向上をさらに図ることができるとともに、ケーシング２１ひいては温水洗浄便座装置１の小型化を図ることができる。
【００５２】
また、操作レバー５４は、棒状に形成され、長手方向を水平方向に沿うように、かつ、水平方向に操作可能に設けられている。
これによれば、操作レバー５４をケーシング２１内において比較的下方に位置させることができる。よって、脱臭部材６４ひいては脱臭機能部６０をケーシング２１内において比較的下方に位置させることができる。よって、ケーシング２１内におけるレイアウトの向上をより図ることができる。
【００５３】
また、操作レバー５４は、ケーシング２１の底部の一部をスリット２１ｂ３〜２１ｂ６によって隔離されるとともに、ケーシング２１の底部と連結する連結部５４ｂを有することにより、ケーシング２１に一体に形成されている。
これによれば、操作レバー５４がケーシング２１の底部と一体に形成されることにより、脱臭部材６４ひいては脱臭機能部６０をケーシング２１内においてさらに下方に位置させることができる。よって、ケーシング２１内におけるレイアウトの向上をさらに図ることができる。
脱臭ダクト６１内にスリット２１ｂ３〜２１ｂ６が形成されている場合、スリット２１ｂ３〜２１ｂ６から脱臭ダクト６１内の空気が漏れることを抑制するために、例えばスリット２１ｂ３〜２１ｂ６を覆う部材等にて気密性を確保する必要が生じる。本実施形態においては、操作レバー５４は、脱臭部材６４の下方に配設されている。また、操作レバー５４は、脱臭部材６４の前端部６４ｄと後端部６４ｅとの間に配設されている。前端部６４ｄおよび後端部６４ｅは、上述したように気密性が確保されているため、各スリット２１ｂ３〜２１ｂ６からケーシング２１外部に脱臭ダクト６１内の空気が漏れることを抑制することができる。このように、操作レバー５４を脱臭部材６４の下方に配設することにより、スリット２１ｂ３〜２１ｂ６からの脱臭ダクト６１内の空気の漏れを比較的簡便に抑制することができる。
また、操作レバー５４は、脱臭部材６４の下方に配設され、洗浄機能部７０の下方に配設されていない。よって、例えば、洗浄機能部７０の故障により洗浄水の水漏れが発生した場合において、各スリット２１ｂ３〜２１ｂ６よりケーシング２１外部に洗浄水が漏れることを抑制することができる。
【００５４】
なお、上述した実施形態において、温水洗浄便座装置の一例を示したが、本発明はこれに限定されず、他の構成を採用することもできる。例えば、操作レバー５４は、左方向に変位するように操作されることにより、取付部５２の被取付部５１からの外れの制限を解除するが、これに代えて、図１７に示す上述した実施形態の変形例のように、操作レバー１５４が右方向に変位するように操作されることにより、取付部５２の被取付部５１からの外れの制限を解除するようにしても良い。
具体的には、図１７に示すように、本変形例においては、固定プレート１０の右フランジ部５１ｄ１に左方向に向かって窪む凹部１５３が形成され、操作レバー１５４に外力が作用していない場合、位置Ｘ３に位置する操作レバー１５４のレバー部１５４ａが凹部１５３にはまるように形成されている。この場合、取付部５２の被取付部５１からの外れの制限がされている。この状態からレバー部１５４ａに右方向に向かって外力Ｓ２が作用した場合、レバー部１５４ａが位置Ｘ３より右方向の位置Ｘ５に位置して、レバー部１５４ａの左端部が凹部１５３から離脱することにより、取付部５２の被取付部５１からの外れの制限が解除される。
【００５５】
また、上述した実施形態において、ケーシング２１内において洗浄機能部７０が左側面２０ｃの側に、脱臭機能部６０および操作レバー５４が右側面２０ｂの側に配設されているが、これに代えて、洗浄機能部７０を右側面２０ｂの側に、脱臭機能部６０および操作レバー５４を左側面２０ｃの側に配設するようにしても良い。この場合、操作レバー５４は、本体部２０の左側面２０ｃの側から操作可能に配設されている。
また、上述した実施形態において、洗浄機能部７０は、洗浄水を貯留する水タンク７２を備えているが、これに代えて、洗浄水を貯留せずに、洗浄水が流通するときに洗浄水を加熱する瞬間給湯式の熱交換器にしても良い。
【００５６】
また、上述した実施形態において、脱臭機能部６０は、シート６５を備えているが、これに代えて、シート６５を備えないようにしても良い。この場合、脱臭部材６４の周側面６４ｃが、脱臭ダクト６１の内面と気密に接触するように、脱臭ダクト６１を形成する。
また、上述した実施形態において、脱臭部材６４を着脱するための開口部が本体部２０に設けられていないが、これに代えて、例えば本体部２０の右側面２０ｂ側に、この開口部を設けるようにしても良い。
【００５７】
また、上述した実施形態において、脱臭機能部６０は、フィルタ６２を備えているが、これに代えて、フィルタ６２を備えないようにしても良い。
また、上述した実施形態において、操作レバー５４は、ケーシング２１に一体に形成されているが、これに代えて、操作レバー５４をケーシング２１と別体に構成するようにしても良い。
また、本発明の要旨を逸脱しない範囲において、脱臭ダクト６１や操作レバー５４の形状、脱臭部材６４の取付位置、洗浄機能部７０の配置等を変更しても良い。
【符号の説明】
【００５８】
１…温水洗浄便座装置、２…腰掛式便器（便器）、２ｂ…便鉢部、１０…固定プレート、２０…本体部、２０ａ…便座保持面、２０ｂ…右側面（第一側面）、２０ｃ…左側面（第二側面）、２１…ケーシング、２１ｂ１…底壁、２１ｂ２…周側壁、２１ｂ３，２１ｂ４，２１ｂ５，２１ｂ６…スリット、２１ｂ８…開口部、３０…便座、４０…便蓋、５０…本体着脱機能部、５１…被取付部、５１ｅ…突起部（制限部）、５２…取付部、５３…凹部（制限部）、５４…操作レバー（解除部）、６０…脱臭機能部、６１…脱臭ダクト、６３…吸入ファン、６４…脱臭部材、７０…洗浄機能部、７１…給水バルブ、７２…水タンク、７３…接続ホース、７４…ノズル装置。
【図１】
0006648406.tif 000002
【図２】
0006648406.tif 000003
【図３】
0006648406.tif 000004
【図４】
0006648406.tif 000005
【図５】
0006648406.tif 000006
【図６】
0006648406.tif 000007
【図７】
0006648406.tif 000008
【図８】
0006648406.tif 000009
【図９】
0006648406.tif 000010
【図１０】
0006648406.tif 000011
【図１１】
0006648406.tif 000012
【図１２】
0006648406.tif 000013
【図１３】
0006648406.tif 000014
【図１４】
0006648406.tif 000015
【図１５】
0006648406.tif 000016
【図１６】
0006648406.tif 000017
【図１７】
0006648406.tif 000018
【図１８】
0006648406.tif 000019